(57)【要約】【課題】ボタンのプロファイル設定作業を簡便に行うことができる多層ワーク支援装置を提供する。【解決手段】多層ワーク支援装置１０において、設定制御プログラム２００の操作受付部２０６は、ユーザによるボタン１８に対する操作を受け付け、ボタン１８が押下されたか否かを判断する。また、判断部２０８は、ボタンプロファイル設定を参照し、入力された操作が押下されたボタン１８のボタンプロファイル設定を更新するものであるか否かを判断する。設定更新のための操作であった場合、表示部２１０は、ボタンプロファイル設定画面をディスプレイ１４に表示する。さらに、更新部２１２は、ユーザがボタンプロファイル設定画面１４２において入力する設定内容を受けつけ、設定記憶部２１４に記憶されている当該ボタン１８のボタンプロファイルを更新し、ユーザにより入力された設定内容を反映する。【選択図】図９
2007148509.tif 000002
【特許請求の範囲】
【請求項１】
ディスプレイと、
前記ディスプレイに表示する対象を指定するボタン群と、
前記ボタン群のボタンそれぞれに割り当てられた機能の設定を制御する設定制御手段と
を有する多層ワーク支援装置。
【請求項２】
前記設定制御手段は、
前記ボタン群のボタンそれぞれに割り当てられた機能の設定を記憶する記憶手段と、
前記ボタン群のボタンに対する操作を受け付ける受付手段と、
前記受付手段により受け付けられた操作が、前記記憶手段により記憶されている設定を更新するためのものか否かを判断する判断手段と、
前記判断手段による判断結果に基づいて、前記記憶手段により記憶されている設定を更新する更新手段と
を有する請求項１に記載の多層ワーク支援装置。
【請求項３】
前記受付手段は、ボタンの部分領域を押下する操作を受け付ける
請求項２に記載の多層ワーク支援装置。
【請求項４】
前記判断手段は、前記受付手段により受け付けられた操作が、ボタンにつき予め設定されている部分領域を押下するものである場合、当該操作が当該ボタンの設定を更新するためのものであると判断する
請求項３に記載の多層ワーク支援装置。
【請求項５】
前記判断手段は、前記受付手段により受け付けられた操作が、ボタンにつき予め設定されている複数の部分領域を押下するものである場合、当該操作が当該ボタンの設定を更新するためのものであると判断する
請求項４に記載の多層ワーク支援装置。
【請求項６】
前記判断手段は、前記受付手段により受け付けられた操作が、ボタンにつき予め設定されている複数の部分領域を同時に押下するものである場合、当該操作が当該ボタンの設定を更新するためのものであると判断する
請求項５に記載の多層ワーク支援装置。
【請求項７】
前記判断手段は、前記受付手段により受け付けられた操作が、ボタンにつき予め設定されている複数の部分領域を予め設定されている順序で押下するものである場合、当該操作が当該ボタンの設定を更新するためのものであると判断する
請求項５に記載の多層ワーク支援装置。
【請求項８】
前記判断手段は、前記受付手段により受け付けられた操作が、ボタンにつき予め設定されている期間継続してボタンを押下するものである場合、当該操作が当該ボタンの設定を更新するためのものであると判断する
請求項２乃至６のいずれかに記載の多層ワーク支援装置。
【請求項９】
前記判断手段は、前記受付手段により受け付けられた操作が、ボタンにつき予め設定されている回数連続してボタンを押下するものである場合、当該操作が当該ボタンの設定を更新するためのものであると判断する
請求項２乃至６のいずれかに記載の多層ワーク支援装置。
【請求項１０】
ディスプレイと前記ディスプレイに表示する対象を指定するボタン群とを有する多層ワーク支援装置において、
前記ボタン群のボタンそれぞれに割り当てられた機能の設定を記憶し、
前記ボタン群のボタンに対する操作を受け付け、
前記受け付けられた操作が、前記記憶されている設定を更新するためのものか否かを判断し、
前記判断結果に基づいて、前記記憶されている設定を更新する
前記多層ワーク支援装置の設定制御方法。
【請求項１１】
コンピュータとディスプレイと前記ディスプレイに表示する対象を指定するボタン群とを有する多層ワーク支援装置において、
前記ボタン群のボタンそれぞれに割り当てられた機能の設定を記憶する記憶ステップと、
前記ボタン群のボタンに対する操作を受け付ける受付ステップと、
前記受け付けられた操作が、前記記憶されている設定を更新するためのものか否かを判断する判断ステップと、
前記判断結果に基づいて、前記記憶されている設定を更新する更新ステップと
を前記多層ワーク支援装置のコンピュータに実行させるプログラム。
【発明の詳細な説明】
【技術分野】
【０００１】
本発明は、パーソナルコンピュータ、ディスプレイ、スピーカ等のコンピューティング環境を、複数、機能的に統合して、複雑多数のワークに効率よく取り組むためのコンピューティング環境を構築する技術に関する。
【背景技術】
【０００２】
オフィスや自宅の机には、書類など物理的なものが散在している。よく片付ける人でも、少なくとも使用時点では、多くの関係書類が展開される場合がある。パーソナルコンピュータ（以下、ＰＣ）は、このような物理的なものの１つにすぎず、人は、ＩＴ／ネットワークの時代になっても、例えば書類やノートや手帳など、電子的なもの以外のものを広げて、多くの情報を参照しながら仕事を進めている。
【０００３】
ここに、知的生産性向上の限界がある。もちろん、物理的な紙は、本質的な阻害要因ではない。問題は、必要な多数の情報をすばやく参照するということに本質的にメスが入っていないことである。非常に多くの情報が、ネットワーク越しに広がっているにもかかわらず、提供されていることは、そのような情報を検索する機能だけである。検索した多様な情報を「そこに並べて」検討することは、あまり考えられていない。
【０００４】
我々が真に情報を必要とするときは、その情報を欲しいと思ったまさにそのときである。又は、その情報を踏まえて思考を展開するという、まさに思考中においてである。その際に、タイムリーな参照ができなければ、意味が無い。「たしか、あれは…」と思ってから検索をかけるようでは、思考が中断されてしまう。現状、検索とは、調査のモードであって、それを欲する人がやってもいいしそうではなくて人に委託してもよい、そのような情報の調査である。調査は、並べて思考することはないので、知的生産とは異なり、あえて言えば知的生産のプロセスの一部に過ぎない。知的生産とは、既に調べてあろうが無かろうが、結果的には必要な情報が直ぐに見ることができるような状態にあって、それらを吟味しながら思考を展開し、新しいアイデアを生み出すことである。残念ながら、このような知的生産のための情報環境は、存在しない。
【０００５】
大事なことは、思考を維持・進行させるための情報へのアクセススピードであるといえる。情報へのアクセスとは、情報を調査するモードでの出来事ではない。必要な情報が提示され、それを見て思考しているときに、思考がその情報にアクセスしているのである。この「思考がアクセスしている」という点が重要である。
【０００６】
思考の進行を阻害しないためには、１）必要な情報を手早く自分の手元まで持ってくること、２）それらをある程度広く展開して視線の切り替え程度で、並べて見ることができるようにすること、が実現できている必要ある。
上記１については、既に述べた通り、検索が問題なのではない。問題は、既に紙や電子的な形で身近にあるはずの情報を、如何に手早く参照可能な状態に持ってゆくかということである。多数の仕事がある場合には、これらセットの片付け／切り替えスピードも問題である。
上記２については、現状の１台のＰＣでは、情報表示スペースが狭すぎるということが課題である。情報表示スペースが狭く、字が小さいので、１つのディスプレイに多数のウィンドウを開くと結局扱いにくくなる。つまり、即座に情報を見ることができず、「えーっと」と思いながら、重なっているウィンドウを一番上に持ってくるという操作が入るのである。その結果、参照する情報は、見やすいようにプリンタに出力され、紙となり、見やすい位置に置かれる。もちろん、紙類は、会議などで配布されてやってくることも多く、これらをスキャンして整理する時間もとりにくい(逆に言えば、現状では、まだスキャンインには時間がかかる)。上記２の問題は、電子資料と紙資料の混在という問題と、ＰＣは１台のままディスプレイだけを巨大にしたり総計面積を多くしたりしても、多数のウィンドウが同時平行でアクティブになれば、ＣＰＵ的な処理能力が付いてゆかないであろうと予想される問題の２つで構成される。例えば、ＰＣ１台では、複数の会議映像を同時にサポートすることは困難である。
【０００７】
結局、人は、ＰＣを通じて、メールやＷｅｂ情報、文書情報などを表示しながら、回りには関係する紙の書類を展開させてしまう。このような状況を整理し、もっと生産性を向上させるために、ＰＣを中心とした情報への高速アクセスならびに並列参照を可能とする新しいワーク支援環境を考える必要がある。とりわけ、現在のプロジェクトマネージャやオフィスワーカーなどの知的生産者は、非常に多くの仕事を抱えており、１つの仕事に集中しながらも、他からの割り込みに対応したり、他の仕事の進行(コンピュータによるバックグラウンド処理)を横目でチェックしたりするなど、きわめて煩雑で多層的な仕事の仕方を余儀なくされている。
【０００８】
発明者等は、これら多数の仕事が多層的に進行する中で、いかに、知的生産者の生産性を向上させることができるか、多層／多重ワーク支援という考え方で研究してきた。多層とは、取り組むべき課題が、時間的にも層状に構成されている様子をさす。我々の仕事は、同時に多数発生していて、納期や優先度の異なりにあわせスケジューリングされている。つまり、本人が直接対峙するという意味では、１時期１つであっても、現実の仕事は、それぞれ進行していて、人は、頭の片隅ではそれらのことを常に意識し、別の仕事に取り組んでいるときでさえ、時には思考の切り替えを起こす。多層／多重ワークは、むしろこの状態を積極的に肯定し、重ね合わせることが可能なワークを、積極的に重ね合わせていこうというワークスタイルのことを指す。これら多層/多重のワークスタイルを支える支援環境こそが求められている。
【０００９】
特許文献１において、タッチ式で切り替えて種々の情報を表示する手法が開示されている。
しかしながら、任意の情報をボタンに貼り付けるという考え方や、また、ボタンの操作方法の違いによりボタン属性情報の設定を行うという考え方は、開示されていない。
【００１０】
【特許文献１】特公平６−８１３７５号公報
【発明の開示】
【発明が解決しようとする課題】
【００１１】
本発明は、上述した背景からなされたものであり、情報へのアクセスを簡便かつ高速に行い、アクセスされるコンテンツの表出を並列に行うことができる多層ワーク支援システムを提供することを目的とする。また特に、ボタンのプロファイル設定作業を簡便に行うことができる多層ワーク支援システムを提供することを目的とする。
【課題を解決するための手段】
【００１２】
上記目的を達成するために、本発明に係る多層ワーク支援装置は、ディスプレイと、前記ディスプレイに表示する対象を指定するボタン群と、前記ボタン群のボタンそれぞれに割り当てられた機能の設定を制御する設定制御手段とを有する。
【００１３】
好適には、前記設定制御手段は、前記ボタン群のボタンそれぞれに割り当てられた機能の設定を記憶する記憶手段と、前記ボタン群のボタンに対する操作を受け付ける受付手段と、前記受付手段により受け付けられた操作が、前記記憶手段により記憶されている設定を更新するためのものか否かを判断する判断手段と、前記判断手段による判断結果に基づに記載の多層ワーク支援装置。
【００１４】
好適には、前記受付手段は、ボタンの部分領域を押下する操作を受け付ける。
好適には、前記判断手段は、前記受付手段により受け付けられた操作が、ボタンにつき予め設定されている部分領域を押下するものである場合、当該操作が当該ボタンの設定を更新するためのものであると判断する。
【００１５】
好適には、前記判断手段は、前記受付手段により受け付けられた操作が、ボタンにつき予め設定されている複数の部分領域を押下するものである場合、当該操作が当該ボタンの設定を更新するためのものであると判断する。
好適には、前記判断手段は、前記受付手段により受け付けられた操作が、ボタンにつき予め設定されている複数の部分領域を同時に押下するものである場合、当該操作が当該ボタンの設定を更新するためのものであると判断する。
【００１６】
好適には、前記判断手段は、前記受付手段により受け付けられた操作が、ボタンにつき予め設定されている複数の部分領域を予め設定されている順序で押下するものである場合、当該操作が当該ボタンの設定を更新するためのものであると判断する。
好適には、前記判断手段は、前記受付手段により受け付けられた操作が、ボタンにつき予め設定されている期間継続してボタンを押下するものである場合、当該操作が当該ボタンの設定を更新するためのものであると判断する。
【００１７】
また、好適には、前記判断手段は、前記受付手段により受け付けられた操作が、ボタンにつき予め設定されている回数連続してボタンを押下するものである場合、当該操作が当該ボタンの設定を更新するためのものであると判断する。
【００１８】
また、本発明に係る多層ワーク支援装置の設定制御方法は、ディスプレイと前記ディスプレイに表示する対象を指定するボタン群とを有する多層ワーク支援装置において、前記ボタン群のボタンそれぞれに割り当てられた機能の設定を記憶し、前記ボタン群のボタンに対する操作を受け付け、前記受け付けられた操作が、前記記憶されている設定を更新するためのものか否かを判断し、前記判断結果に基づいて、前記記憶されている設定を更新する。
【００１９】
さらに、本発明に係るプログラムは、コンピュータとディスプレイと前記ディスプレイに表示する対象を指定するボタン群とを有する多層ワーク支援装置において、前記ボタン群のボタンそれぞれに割り当てられた機能の設定を記憶する記憶ステップと、前記ボタン群のボタンに対する操作を受け付ける受付ステップと、前記受け付けられた操作が、前記記憶されている設定を更新するためのものか否かを判断する判断ステップと、前記判断結果に基づいて、前記記憶されている設定を更新する更新ステップとを前記多層ワーク支援装置のコンピュータに実行させる。
【発明の効果】
【００２０】
本発明に係る多層ワーク支援装置によれば、情報へのアクセスを簡便かつ高速に行い、アクセスされるコンテンツの表出を並列に行うことができる。また特に、ボタンのプロファイル設定作業を簡便に行うことができる。
【発明を実施するための最良の形態】
【００２１】
図１は、本発明の実施形態に係る多層ワーク支援装置１０を示す図である。
図１に示すように、多層ワーク支援装置１０は、装置本体１２を中心として構成されており、装置本体１２を支える脚部４０、ディスプレイ１４ａ〜１４ｃ、これらのディスプレイ１４ａ〜１４ｃに表示する対象を指定するボタン群が配置された情報アクセス装置１６ａ，１６ｂ、及び入出力インターフェイス（ＩＦ）２２を有する。また、多層ワーク支援装置１０は、所定の音を出力するスピーカ（不図示）も有する。
なお、脚部４０は着脱可能であってもよく、装置本体１２がテーブル等に載置されて用いられてもよい。また、ディスプレイ１４ａ〜１４ｃなど、複数ある構成部分のいずれかを特定せずに示すときには、単にディスプレイ１４などと略記することがある。
【００２２】
ディスプレイ１４ａ〜１４ｃは、装置本体１２の正面に設けられており、横方向に配列されている。ディスプレイ１４ａ〜１４ｃは、例えば同一の画面サイズの液晶ディスプレイである。ディスプレイ１４は、後述する制御装置１００により制御されて、所定の情報を表示する。
なお、ディスプレイ１４は、仮想的なコンピュータのディスプレイであってもよい。また、ディスプレイ１４は、ＣＲＴ，ＰＤＰ等から構成されてもよく、それぞれが互いに異なる画面サイズであってもよい。
【００２３】
情報アクセス装置１６ａ，１６ｂは、ユーザに対してディスプレイ１４の手前であって、装置本体１２の左側及び右側の双方に設けられている。情報アクセス装置１６は、例えばタッチパネルからなり、制御装置１００により制御されて、所定の情報を表示し、さらに、ユーザからの入力を受け付けて制御装置１００に対して出力する。なお、情報アクセス装置１６は、装置本体１２の左側及び右側のいずれかに設けられてもよい。
【００２４】
情報アクセス装置１６には、複数のボタン１８が設けられており、ボタン群は、これらのボタン１８により構成される。ボタン１８には、表示対象あるいは演算の指定など、所定の動作が割り当てられており、情報アクセス装置１６は、ボタン１８が押下されることにより、ユーザから所望の指定を受け付ける。なお、ボタン１８が押下されたときの動作等は、後で詳述する。
【００２５】
情報アクセス装置１６ａ，１６ｂの間には、所定の物が載置される載置部２０が設けられており、この載置部２０の上面には、パーソナルコンピュータ（ＰＣ）等の入力装置２６が載置されてもよい。ここで、入力装置２６は、キーボード及びポインティングデバイスを含み、通信ケーブル２４を介して入出力ＩＦ２２と接続されて、多層ワーク支援装置１０の制御装置１００と、データを通信する。
ユーザは、このような多層ワーク支援装置１０を用いて、ネットワークを介して提供されるＷｅｂページ、記憶装置内に格納されているファイル等にアクセスして、多くの仕事を多層的に行う。
【００２６】
図２は、多層ワーク支援装置１０において用いられるコンピュータのハードウェア構成を示す図である。
図２に示すように、多層ワーク支援装置１０は、制御装置１００ａ〜１００ｅ、及び中継装置１１２を有し、制御装置１００ａ〜１００ｅのそれぞれは、ＣＰＵ１０４及びメモリ１０６を含む処理装置１０２、通信ＩＦ１０８、及び記憶装置１１０を有する。
【００２７】
制御装置１００において、通信ＩＦ１０８は、中継装置１１２を介して、他の制御装置１００、外部の入力装置２６、及びＬＡＮ，ＷＡＮ等のネットワーク２と、所定のデータを通信する。記憶装置１１０は、例えばＨＤＤ装置、ＣＤ装置あるいはＤＶＤ装置であり、データを記憶及び再生する。
このように、制御装置１００は、プログラムの実行による情報処理、及びネットワークを介して他の制御装置１００等との間の通信が可能なコンピュータとしての構成部分を有する。
【００２８】
中継装置１１２は、制御装置１００の間で送信及び受信されるデータを中継し、また、入力装置２６及びネットワーク２を介して接続される外部のコンピュータ（不図示）と、入出力ＩＦ２２を介して通信を行う。なお、この中継装置１１２は、サーバとして実現してもよく、また、制御装置１００がＰＣなどのネットワークアドレスを有する形で実現される場合には、複数の制御装置１００が、中継装置１１２を介さず、直接ＰｔｏＰ方式で接続されてもよい。
【００２９】
また、制御装置１００ａは、第１のディスプレイ１４ａに表示される情報を制御し、制御装置１００ｂは、第２のディスプレイ１４ｂに表示される情報を制御し、制御装置１００ｃは、第３のディスプレイ１４ｃに表示される情報を制御する。制御装置１００ｄは、第１の情報アクセス装置１６ａに表示される情報を制御し、第１の情報アクセス装置１６ａからの入力を受け付ける。同様に、制御装置１００ｅは、第２の情報アクセス装置１６ｂに表示される情報を制御し、第２の情報アクセス装置１６ｂからの入力を受け付ける。このように、ディスプレイ１４ａ〜１４ｃ及び情報アクセス装置１６ａ，１６ｂは、それぞれ異なる制御装置１００により制御される。なお、制御装置１００は、通常のＰＣで実現されてもよい。
【００３０】
さらに、制御装置１００ａは、第２のディスプレイ１４ｂ、第３のディスプレイ１４ｃ、及び情報アクセス装置１６ａ，１６ｂに対して、所定の情報を表示させる。この場合、制御装置１００ａは、例えば、制御装置１００ｂとデータを通信して、第２のディスプレイ１４ｂに情報を表示させる。また、制御装置１００ａは、情報アクセス装置１６ａ，１６ｂから入力されたデータを、制御装置１００ｄ，１００ｅを介して受け付ける。制御装置１００ｂ〜１００ｅもまた、同様にして、いずれのディスプレイ１４等に対しても情報を表示させ、いずれの情報アクセス装置１６からデータを受け付ける。
【００３１】
なお、いずれかの制御装置１００が、複数のディスプレイ１４及び情報アクセス装置１６を制御してもよいし、これらの全てを制御してもよい。また、１つの制御装置１００には、複数のＣＰＵ１０４及びメモリ１０６が含まれてもよい。
【００３２】
図３は、情報アクセス装置１６に表示されるボタン群と、ディスプレイ１４に表示されるウインドウ１４０を例示する図である。
図３に例示するように、ボタン群には、ボタン１８−１〜１８−ｍが含まれ、ボタン１８−１〜１８−ｍは、押下可能な形及びサイズで表示される。なお、ボタン群を構成するこれらのボタンの数は、本例に限定されず、ボタンの配置も図３に示される配置に限定されない。
【００３３】
ボタン１８は、ディスプレイ１４に表示される対象（コンテンツ）を指定するボタンである。指定される対象には、Ｗｅｂページ、記憶装置１１０に保持されている電子ファイル、ネットワーク２を介して接続された他の電子機器に保持されている電子ファイル等が含まれる。ボタン１８のそれぞれには、ボタンプロファイルが設定されており、ボタンプロファイルには、例えば、対象のＵＲＬ、ファイル等の対象が保存されている場所へのパス、ＩＰアドレス等が登録されている。なお、ボタンプロファイルについては後で詳述する。
【００３４】
例えば、ユーザがボタン１８−１を押下したり、マウスでクリックしたりすると、当該ボタン１８−１に登録されているＷｅｂページ（例えばウインドウ１４０）が、ディスプレイ１４ａ〜１４ｃの少なくともいずれかに表示される。また、ユーザが、記憶されている電子ファイルを指定するボタン１８を押下すると、所定のアプリケーションが起動されて、指定された電子ファイルがいずれかのディスプレイ１４に表示される。電子ファイルは、例えば、文書作成ソフト、表計算ソフト、あるいはプレゼンテーションソフトにより用いられるファイルである。
このようにして、ユーザは、所望のＷｅｂページや電子ファイルをディスプレイ１４ａ〜１４ｃに表示させ、入力装置２６及び情報アクセス装置１６ａ，１６ｂを用いて作業を行う。
【００３５】
次に、本発明に係る多層ワーク支援装置１０の理解を容易にするために、本発明の概要を説明する。
図４は、それぞれのボタン１８を規定するボタンプロファイルを例示する図である。
図４に例示するように、それぞれのボタン１８について、ボタンプロファイルは、ラベル、起動対象、形状１〜形状４（大きさ、通常時の色、ボタン押下時の色、形）、押下回数、押下時間（秒）、同時押下領域数、押下領域１〜押下領域８を含む。ボタン１８は、ボタンプロファイルにより、情報アクセス装置１６へ表示される文字列並びに形状、押下時の動作、設定変更のための動作等が決定される。
【００３６】
ラベルは、当該ボタン１８が情報アクセス装置１６に表示される際に表示される文字列であって、ボタン群に含まれるボタン１８を一意に識別する識別子である。起動対象は、当該ボタン１８が押下されたときにディスプレイ１４に表示される対象を示し、例えば、ＵＲＬ、ファイル等の対象が保存されている場所へのパス、ＩＰアドレス等が指定されている。
【００３７】
形状１（大きさ）、形状２（通常時の色）、形状３（ボタン押下時の色）及び形状４（形）は、当該ボタン１８が情報アクセス装置１６に表示される際の外観を示す。例えば、形状１（大きさ）は、大、中、小のいずれかであり、形状４（形）は、複数種類の四角形並びに楕円形のいずれかであり、形状２（通常時の色）及び形状３（ボタン押下時の色）は、所定の色である。
【００３８】
押下回数、押下時間、同時押下領域数及び押下領域１〜８は、当該ボタン１８のプロファイル設定画面を呼び出す操作を規定する項目である。押下回数は、プロファイル設定画面を呼び出すために当該ボタン１８を押下する回数であり、好適には２回から１０回までの回数であって例えば１回である。押下回数は、標準的な設定値（例えば２回）を予め設定されていてもよい。
【００３９】
押下時間は、プロファイル設定画面を呼び出すために当該ボタン１８を押下する時間であり、好適には１秒から１０秒までの時間であって例えば３秒である。押下時間は、標準的な設定値（例えば３秒）を予め設定されていてもよい。
【００４０】
同時押下領域数は、プロファイル設定画面を呼び出すために押下する、当該ボタン１８の部分領域の数である。例えば、同時押下領域数が２に設定されている場合、当該ボタン１８の２つの部分領域が同時に押下されると、プロファイル設定画面が呼び出される。押下領域１は、プロファイル設定画面を呼び出すために押下する、当該ボタン１８の部分領域であり、例えばボタン１８の右下の部分領域である。ここで、ボタン１８は、例えば、右上（Ａ）、右中（Ｂ）、右下（Ｃ）、中上（Ｄ）、中中（Ｅ）、中下（Ｆ）、左上（Ｇ）、左中（Ｈ）、左下（Ｉ）の９つの部分領域に分割され、押下領域１〜押下領域８は、これらの部分領域のいずれかを設定されうる。
【００４１】
本例では、ユーザが、ボタン１８の右下の部分領域を３秒間継続して１回押下すると、当該ボタン１８のプロファイル設定画面が呼び出される。
なお、プロファイル設定画面の呼び出し方法及びボタン１８の部分領域については、後で詳述する。
【００４２】
図５は、ボタンプロファイル設定画面の呼び出しについて説明する図である。
図５に例示するように、「会議室２１」ボタン（図中のＡ）は、会議室２１に関するＷｅｂページを指定してディスプレイ１４に表示させるボタンである一方、この「会議室２１」ボタン右下の部分領域が例えば３秒間押下されると、当該ボタンのボタンプロファイル設定画面１４２がディスプレイ１４に表示される。ユーザは、ボタンプロファイル設定画面１４２において「会議室２１」ボタンのボタンプロファイル（図３）を更新して、当該ボタンにより指定されるＷｅｂページ、当該ボタンのプロファイル等を変更する。
【００４３】
図６は、ボタン１８のプロファイル設定画面呼出し方法、及びその際に押下されるボタン１８の部分領域を例示する図である。
図６（Ａ）〜図６（Ｄ）は、ボタン１８の部分領域のうち１つの部分領域が押下されることによりプロファイル設定画面が呼び出される設定を例示する図であって、図６（Ａ）〜図６（Ｄ）において、設定画面呼出しのための部分領域はそれぞれ、右下（Ｃ）、左下（Ｉ）、左上（Ｇ）、及び右上（Ａ）である。このとき、ボタンプロファイル（図４）の項目「同時押下領域」には１が設定され、項目「押下領域１」にはユーザにより選択された部分領域が設定されている。なお、「押下領域２」から「押下領域８」までの項目は設定されていない。
【００４４】
図６（Ｅ）は、ボタン１８の部分領域のうち複数の部分領域が同時に押下されることによりプロファイル設定画面が呼び出される設定を例示する図である。図６（Ｅ）に例示するように、設定画面呼出しのための部分領域には、複数の部分領域が設定されてもよい。このとき、ボタンプロファイルの項目「同時押下領域数」には、同時に押下される部分領域の数（本例では２）が設定され、「押下領域１」から「押下領域８」までの項目のうち、指定された数の部分領域（本例では「押下領域１」及び「押下領域２」）には、ユーザにより選択された部分領域が設定されている。
なお、複数の部分領域が設定される場合、好適には、２箇所から５箇所の部分領域が設定される。この場合、複数の指を使用することが想定されるので、指を自然に配置できる場所が複数選択されていることが好ましい。
【００４５】
図６（Ｆ）は、ボタン１８の部分領域のうち複数の部分領域が順次押下されることによりプロファイル設定画面が呼び出される設定を例示する図である。図６（Ｆ）に例示するように、複数の部分領域が設定画面呼出しのための部分領域に設定され、当該複数の部分領域のそれぞれに対して押下順序が設定されてもよい。本例では、ユーザは、まず右上（Ａ）の部分領域を押下し、次に右下（Ｃ）の部分領域を押下し、さらに左下（Ｉ）の部分領域を押下することにより、当該ボタン１８のプロファイル設定画面を呼び出す。
【００４６】
このとき、ボタンプロファイルの項目「同時押下領域数」には１が設定され、押下領域１〜押下領域８にはユーザにより選択された部分領域が入力順に設定されている。本例では、「押下領域１」、「押下領域２」及び「押下領域３」にそれぞれ、右上（Ａ）、右下（Ｃ）及び左下（Ｉ）の部分領域が設定されている。
【００４７】
図６（Ｇ）〜図６（Ｉ）は、図６（Ｆ）の呼出し方法の変形例を例示し、より具体的には、ユーザが所定の部分領域を押下しながら指をスライドさせることにより、プロファイル設定画面が呼び出される設定を例示する図である。
図６（Ｇ）は、ボタン１８の下部を押下しながら右から左に指をスライドさせる場合を示す。このとき、ボタンプロファイルには、部分領域が右下（Ｃ）、中下（Ｆ）、左下（Ｉ）の順序で押下されることにより、プロファイル設定画面が呼び出されるように設定されている。
【００４８】
なお、押下対象の部分領域はボタン１８の上部又は中央部であってもよいし、部分領域は左から右に押下されてもよい。また、装置本体１２の左側の情報アクセス装置１６ａと右側の情報アクセス装置１６ｂとでは、スライド方向が左右対称であるように設定されること（例えば、装置本体１２の内側から外側でスライドさせる等）が、ユーザの操作上、より好ましい。
【００４９】
図６（Ｈ）は、ボタン１８の右側を押下しながら上部から下部へ指をスライドさせる場合を示す。このとき、ボタンプロファイルには、部分領域が右上（Ａ）、右中（Ｂ）、右下（Ｃ）の順序で押下されることにより、プロファイル設定画面が呼び出されるように設定されている。なお、押下対象の部分領域はボタン１８の左側又は中央部であってもよいし、部分領域は下部から上部に押下されてもよい。
【００５０】
図６（Ｉ）は、ユーザが所定の部分領域を押下しながら指をスライドさせることにより、プロファイル設定画面が呼び出される設定であって、例えば、ユーザが、右上（Ａ）、中上（Ｄ）、左上（Ｇ）、左中（Ｈ）、左下（Ｉ）、中下（Ｆ）、右下（Ｃ）及び右中（Ｂ）の順で、円を描くように指をスライドさせることにより、プロファイル設定画面が呼び出される設定である。なお、円を描く操作は、本例の逆回りのものであってもよく、適切な開始位置と動作方向が設定されることが好ましい。
【００５１】
このような設定の下で、ボタンプロファイルの設定画面は、所定のボタン操作によりディスプレイ１４に表示される。
図７は、プロファイル設定画面１４２を例示する図である。
図７に例示するように、プロファイル設定画面１４２は、ボタンプロファイルの項目１４４と設定値１４６とを含み、これらの設定値１４６は、設定ボタン１５０が押下されることにより多層ワーク支援装置１０に反映される。
【００５２】
設定値１４６は、いわゆるプルダウンメニュー１４８により複数の値から選択される。例えば、押下領域１〜押下領域８は、プルダウンメニュー１４８の押下により表示される、「右上（Ａ）」、「右中（Ｂ）」、「右下（Ｃ）」、「中上（Ｄ）」、「中中（Ｅ）」、「中下（Ｆ）」、「左上（Ｇ）」、「左中（Ｈ）」及び「左下（Ｉ）」から選択される。
なお、それぞれの項目１４４は、プルダウンメニュー１４８ではなく、チェックボックスによりチェックされてもよいし、入力装置２６（キーボード、マウス等）を用いて直接設定値を入力されてもよい。例えば、項目「起動対象」は、値を直接入力されてもよい。また、キャンセルボタン１５２が押下されることにより、設定の反映が中止されてもよい。
【００５３】
次に、上述した多層ワーク支援装置１０の設定制御方法を実現する設定制御プログラム２００について説明する。
図８は、多層ワーク支援装置１０の制御装置１００（図２）により実行される設定制御プログラム２００の構成を示す図である。
図８に示すように、設定制御プログラム２００は、ユーザインタフェース（ＵＩ）部２０２、通信部２０４、操作受付部２０６、判断部２０８、表示部２１０、更新部２１２及び設定記憶部２１４を有する。設定制御プログラム２００は、これらの構成部分により、ボタン群のボタン１８それぞれに割り当てられた機能の設定を記憶し、ボタン群のボタン１８に対する操作を受け付け、当該受け付けられた操作が記憶されている設定を更新するためのものか否かを判断し、当該判断結果に基づいて記憶されている設定を更新して、ボタン群のボタン１８それぞれに割り当てられた機能の設定を制御する。
【００５４】
設定制御プログラム２００は、例えば、ネットワーク２、通信ＩＦ１０８（図２）などを介して処理装置１０２に供給され、メモリ１０６にロードされて、さらに処理装置１０２で動作するＯＳ上で、ハードウェアを具体的に利用して実行される。また、設定制御プログラム２００は、全ての制御装置１００ａ〜１００ｅにおいて実行されてもよいし、いずれかの制御装置１００において実行されてもよい。
【００５５】
設定制御プログラム２００において、ＵＩ部２０２は、情報アクセス装置１６及び入力装置２６に対するユーザの操作を受け入れ、後述する構成部分に対して出力する。ここで、ユーザの操作には、ボタン１８の押下（マウスによるクリックも含む）などが含まれる。また、ＵＩ部２０２は、後述する表示部２１０により作成された情報（画像データ、映像データ、音声データ等）及び各構成部分の処理内容などを、ディスプレイ１４及び情報アクセス装置１６に表示する。
【００５６】
通信部２０４は、通信ＩＦ１０８を介してデータを入出力し、中継装置１１２を介した多層ワーク支援装置１０内のデータの送受信、及びネットワーク２を介した外部のコンピュータとのデータの送受信を制御する。また、通信部２０４は、伝送される情報・データの改ざん防止のための暗号化処理を行ってもよい。
【００５７】
操作受付部２０６は、ユーザが情報アクセス装置１６ａ，１６ｂのボタン１８を押下して行う操作をＵＩ部２０２を介して受け付け、当該操作を判断部２０８に対して出力する。また、操作受付部２０６は、ボタン１８の部分領域を押下する操作を受け付ける。例えば、操作受付部２０６は、情報アクセス装置１６ａ，１６ｂにおいて押下された場所の座標（Ｘ座標、Ｙ座標）、押下操作が継続された時間、及び押下された時刻を、ＵＩ部２０２を介して情報アクセス装置１６ａ，１６ｂから入力して、判断部２０８に対して出力する。
【００５８】
判断部２０８は、操作受付部２０６から入力された操作が、後述する設定記憶部２１４により記憶されているボタンプロファイル設定（図４）を更新するためのものか否かを判断する。判断部２０８は、当該操作がボタンプロファイル設定を更新するためのものである場合、表示部２１０及び更新部２１２に対してボタンプロファイル設定を更新する旨を出力し、そうでない場合、表示部２１０に対して当該ボタン１８により指定される対象（コンテンツ）をディスプレイ１４に表示する旨を出力する。
【００５９】
ここで、判断部２０８は、設定記憶部２１４に記憶されている設定を参照して、操作受付部２０６により受け付けられた操作がボタン１８につき予め設定されている部分領域を押下するものである場合、当該操作が当該ボタン１８の設定を更新するためのものであると判断する。押下されるべき部分領域は、図６（Ａ）〜図６（Ｄ）に例示されるように設定されており、判断部２０８は、操作受付部２０６から入力された押下座標に基づいて、押下された部分領域を判断する。
【００６０】
また、判断部２０８は、操作受付部２０６により受け付けられた操作がボタン１８につき予め設定されている複数の部分領域を同時に押下するものである場合、当該操作が当該ボタン１８の設定を更新するためのものであると判断してもよい。この場合、押下されるべき部分領域は、図６（Ｅ）に例示されるように設定されており、判断部２０８は、操作受付部２０６から入力された押下座標及び押下時刻に基づいて、同時に押下された複数の部分領域を判断する。
【００６１】
また、判断部２０８は、操作受付部２０６により受け付けられた操作がボタン１８につき予め設定されている複数の部分領域を予め設定されている順序で押下するものである場合、当該操作が当該ボタン１８の設定を更新するためのものであると判断してもよい。この場合、部分領域は、図６（Ｆ）〜図６（Ｉ）に例示されるように設定されており、判断部２０８は、操作受付部２０６から入力された押下座標及び押下時刻に基づいて、予め設定されている順序で押下された複数の部分領域を判断する。
【００６２】
さらに、判断部２０８は、設定記憶部２１４に記憶されている設定のうち項目「押下時間」を参照し、操作受付部２０６により受け付けられた操作がボタン１８につき予め設定されている期間継続してボタン１８を押下するものである場合、当該操作が当該ボタン１８の設定を更新するためのものであると判断してもよい。
【００６３】
また、判断部２０８は、設定記憶部２１４に記憶されている設定のうち項目「押下回数」を参照し、操作受付部２０６により受け付けられた操作がボタン１８につき予め設定されている回数連続してボタン１８を押下するものである場合、当該操作が当該ボタン１８の設定を更新するためのものであると判断してもよい。例えば、押下回数が２に設定されている場合、判断部２０８は、操作受付部２０６から入力された押下座標及び押下時刻に基づいて、部分領域が２回連続して押下されたか否かを判断する。
【００６４】
設定記憶部２１４は、ボタン群のボタン１８それぞれに割り当てられた機能の設定（図４に示されるボタンプロファイル）を記憶する。設定記憶部２１４は、記憶装置１１０（図２）及びメモリ１０６により実現される。
【００６５】
表示部２１０は、操作受付部２０６により受け付けられたボタン操作がボタンプロファイル設定を更新するためのものではない場合、設定記憶部２１４により記憶されているボタンプロファイルの起動対象を参照して、図３に示されるように、当該ボタン１８により指定される対象をディスプレイ１４に表示する。ここで、表示対象は、例えば、業務を実行するためのアプリケーションソフト（表計算ソフト、文書作成ソフト、遠隔会議用ソフト等）のウインドウ表示、Ｗｅｂページの表示等を含む。
また、表示部２１０は、操作受付部２０６により受け付けられたボタン操作がボタンプロファイル設定を更新するためのものである場合、ボタンプロファイル設定画面１４２（図７）をディスプレイ１４に表示する。
【００６６】
更新部２１２は、判断部２０８による判断結果に基づいて、設定記憶部２１４により記憶されているボタンプロファイル設定を更新する。より具体的には、更新部２１２は、操作受付部２０６により受け付けられたボタン操作がボタンプロファイル設定を更新するためのものであると判断部２０８により判断された場合、ユーザが当該ボタン１８のボタンプロファイル設定画面１４２において入力する設定内容をＵＩ部２０２を介して受け付けて、設定記憶部２１４に記憶されている当該ボタン１８のボタンプロファイルを更新する。ボタンプロファイルが更新されると、ユーザにより入力された設定内容が反映され、以降、当該ボタン１８には、新たに設定された機能が割り当てられる。
【００６７】
図９は、設定制御プログラム２００（図８）により実行される設定制御処理処理（Ｓ１０）を示すフローチャートである。
図９に示すように、ステップ１００（Ｓ１００）において、設定制御プログラム２００の操作受付部２０６は、ユーザによる情報アクセス装置１６のボタン１８に対する操作をＵＩ部２０２を介して受け付け、ボタン１８が押下されたか否かを判断する。ボタン１８が押下された場合、操作受付部２０６は、情報アクセス装置１６において押下された場所の座標、押下された時刻、及び押下され続けた時間を情報アクセス装置１６から入力して判断部２０８に対して出力し、Ｓ１０２の処理に進む。そうでない場合、操作受付部２０６はＳ１００の処理に戻る。
【００６８】
ステップ１０２（Ｓ１０２）において、判断部２０８は、設定記憶部２１４により記憶されているボタンプロファイル設定を参照し、操作受付部２０６から入力された座標等に基づいて、入力された操作が押下されたボタン１８のボタンプロファイル設定を更新するものであるか否かを判断する。ここで、更新されるボタン１８は座標に基づいて算出され、押下領域もまた座標に基づいて算出され、押下時間は押下され続けた時間に基づいて算出され、押下回数は押下された時刻に基づいて算出される。
【００６９】
当該操作がボタンプロファイルを更新するためのものである場合、設定制御プログラム２００はＳ１０４の処理に進む。
そうでない場合、判断部２０８は、押下されたボタン１８に関する情報を表示部２１０に対して出力し、表示部２１０は、設定記憶部２１４に記憶されているボタンプロファイルにおける当該ボタンの起動対象を参照して当該ボタン１８により指定される当該対象をディスプレイ１４に表示し、設定制御プログラム２００はＳ１００の処理に戻る。
【００７０】
ステップ１０４（Ｓ１０４）において、判断部２０８は、押下されたボタン１８のボタンプロファイルが更新される旨を表示部２１０及び更新部２１２に対して出力する。表示部２１０は、設定記憶部２１４に記憶されているボタンプロファイルから当該押下されたボタン１８に関するボタンプロファイルを検索して、ボタンプロファイル設定画面１４２を（図７）ディスプレイ１４に表示する。さらに、更新部２１２は、ユーザがボタンプロファイル設定画面１４２において入力する設定内容を受けつける。
【００７１】
ステップ１０６（Ｓ１０６）において、更新部２１２は、受け付けられた設定内容に基づいて、設定記憶部２１４に記憶されている当該ボタン１８のボタンプロファイルを更新し、ユーザにより入力された設定内容を反映する。設定内容が更新されると、当該ボタン１８には、新たに設定された機能が割り当てられる。
このようにして、設定制御プログラム２００は、情報アクセス装置１６のボタン１８それぞれに割り当てられた機能の設定を制御する。
【００７２】
以上説明したように、本発明に係る多層ワーク支援装置１０は、ディスプレイ１４と、ディスプレイ１４に表示する対象を指定するボタン群と、ボタン群のボタン１８それぞれに割り当てられた機能の設定を制御する設定制御プログラム２００を有する。特に、設定制御プログラム２００は、ボタン群のボタン１８それぞれに割り当てられた機能の設定を記憶する設定記憶部２１４と、ボタン群のボタン１８に対する操作を受け付ける操作受付部２０６と、受け付けられた操作が設定記憶部２１４により記憶されている設定を更新するためのものか否かを判断する判断部２０８と、判断結果に基づいて設定を更新する更新部２１２とを有する。
【００７３】
これにより、ユーザは、情報へのアクセスを簡便かつ高速に行い、アクセスされるコンテンツの表出を並列に行うことができる。また特に、ユーザは、ボタン１８のプロファイル設定作業を簡便に行うことができる。
【００７４】
また、多層ワーク支援装置１０は、ボタン１８が押下される部分領域に基づいて異なる画面をディスプレイ１４に表示し、異なる入力をユーザから受け付けてもよい。例えば、多層ワーク支援装置１０は、ボタン１８の右上の部分領域、右下の部分領域、左上の部分領域及び左下の部分領域が押下された場合、それぞれ異なる設定画面等を表示してもよい。この場合、ボタンプロファイル設定画面１４２は、これらの設定画面のうちの一つの画面である。なお、多層ワーク支援装置１０は、押下される部分領域に応じて、ボタンプロファイルの異なる項目における設定画面を起動してもよい。
これにより、多層ワーク支援装置１０は、簡便な操作をより多くユーザに対して提供することができる。
【００７５】
次に、本発明の第２の実施形態に係る多層ワーク支援装置１０を説明する。
本実施形態に係る多層ワーク支援装置１０は、ボタンプロファイルの設定変更に関する情報を情報アクセス装置１６ａ，１６ｂのボタン１８に表示し、当該ボタン１８に対するユーザからの入力を受け付ける点で、第１の実施形態に係る多層ワーク支援装置１０とは異なる。
【００７６】
図１０は、本実施形態において、ボタンプロファイル設定変更に関する情報が表示された情報アクセス装置１６を例示する図である。
図１０に例示されるように、多層ワーク支援装置１０は、ボタン１８に対するユーザからの設定変更操作（例えば右下の部分領域を２秒間押下する操作）を受け付けると、情報アクセス装置１６のボタン１８に、設定変更対象のボタン１８のボタンプロファイルの項目、現在の設定値及び変更されうる候補値を表示する。なお、現在の設定値及び候補値を選択肢ともいう。
【００７７】
例えば、左側の情報アクセス装置１６ａにおいて、最上段のボタン群は、ボタンプロファイルの項目「ラベル」の文字列を表示するボタン１８−１、項目「ラベル」の現在の設定値を表示するボタン１８−２、項目「ラベル」において変更される候補値を表示するボタン１８−３、及びその他の候補値を表示するボタン１８−ｎを含む。その他の項目においても、左右の情報アクセス装置１６ａ，１６ｂにおいて、例えば、項目名（ラベル、起動対象等）の右側に複数の選択肢が表示される。
【００７８】
多層ワーク支援装置１０は、ユーザによるボタン１８−２〜１８−ｎのいずれかに対する押下操作を受け付けて選択肢を入力し、設定変更対象ボタンのボタンプロファイルのうち、受け付けられた項目を、受け付けれた値に更新する。なお、ボタン１８−２〜１８−ｎの数並びに配列は本例に限定されない。
【００７９】
本実施形態において、設定制御プログラム２００の表示部２１０は、操作受付部２０６により受け付けられたボタン操作がボタンプロファイル設定を更新するためのものである場合、図１０に例示するように、情報アクセス装置１６に設定変更対象のボタン１８のボタンプロファイルの項目及び選択肢を表示する。
また、更新部２１２は、設定値及び候補値を表示するボタン１８のいずれかに対するユーザからの入力をＵＩ部２０２を介して受け付けて、当該受け付けられた内容に基づいて、設定記憶部２１４に記憶されている設定変更対象のボタン１８のボタンプロファイルを更新する。
これにより、ユーザは、多層ワーク支援装置１０は、ボタン１８のプロファイル設定作業をより簡便に行うことができる。
【００８０】
次に、本発明の第３の実施形態に係る多層ワーク支援装置１０を説明する。
本実施形態に係る多層ワーク支援装置１０は、ボタンプロファイルの設定変更時に、設定変更対象のボタンに関するボタンプロファイルの項目、候補値、及び候補値を選択する選択ボタンを情報アクセス装置１６ａ，１６ｂに表示する点で、第２の実施形態に係る多層ワーク支援装置１０とは異なる。
【００８１】
図１１は、本実施形態において、ボタンプロファイル設定変更に関する情報が表示された情報アクセス装置１６を例示する図である。
図１１に例示されるように、多層ワーク支援装置１０は、ボタン１８に対するユーザからの設定変更操作を受け付けると、情報アクセス装置１６のボタン１８に、設定変更対象のボタン１８のボタンプロファイルの項目、候補値、及び候補値を選択する選択ボタン（「←」ボタン及び「→」ボタン）を表示する。
【００８２】
例えば、左側の情報アクセス装置１６において、最上段のボタン群は、ボタンプロファイルの項目「ラベル」の文字列を表示するボタン１８−１、項目「ラベル」に対する候補値を表示するボタン１８−３、当該候補値の前の候補値をボタン１８−３に表示するための選択ボタン１８−２、及び当該候補値の次の候補値をボタン１８−３に表示するための選択ボタン１８−４を含む。その他の項目においても、左右の情報アクセス装置１６ａ，１６ｂにおいて、例えば、項目名（ラベル、起動対象等）の右側に候補値と当該候補値を選択するためのボタンが表示される。
【００８３】
多層ワーク支援装置１０は、ユーザにより選択ボタン１８−２，１８−４を用いて選択されたボタン１８−３に対する押下操作を受け付けて選択肢を入力し、設定変更対象ボタンのボタンプロファイルのうち、受け付けられた項目を、受け付けれた値に更新する。なお、ボタン１８−２〜１８−ｎの数並びに配列は本例に限定されない。
これにより、ユーザは、多層ワーク支援装置１０は、ボタン１８のプロファイル設定作業をより簡便に行うことができる。また、多層ワーク支援装置１０は、ボタンプロファイル設定変更時に、情報アクセス装置１６に表示するボタン１８を少なくすることができる。
【図面の簡単な説明】
【００８４】
【図１】本発明の実施形態に係る多層ワーク支援装置１０を示す図である。
【図２】多層ワーク支援装置１０において用いられるコンピュータのハードウェア構成を示す図である。
【図３】情報アクセス装置１６に表示されるボタン群と、ディスプレイ１４に表示されるウインドウ１４０を例示する図である。
【図４】それぞれのボタン１８を規定するボタンプロファイルを例示する図である。
【図５】ボタンプロファイル設定画面の呼び出しについて説明する図である。
【図６】ボタン１８のプロファイル設定画面呼出し方法、及びその際に押下されるボタン１８の部分領域を例示する図である。
【図７】第１の実施形態において、ボタンプロファイル設定変更時に表示されるプロファイル設定画面１４２を例示する図である。
【図８】多層ワーク支援装置１０の制御装置１００（図２）により実行される設定制御プログラム２００の構成を示す図である。
【図９】設定制御プログラム２００（図８）により実行される設定制御処理処理（Ｓ１０）を示すフローチャートである。
【図１０】第２の実施形態において、ボタンプロファイル設定変更時に、ボタンプロファイル設定変更に関する情報が表示された情報アクセス装置１６を例示する図である。
【図１１】第３の実施形態において、ボタンプロファイル設定変更時に、ボタンプロファイル設定変更に関する情報が表示された情報アクセス装置１６を例示する図である。
【符号の説明】
【００８５】
１０ 多層ワーク支援装置
１２ 装置本体
１４ ディスプレイ
１６ 情報アクセス装置
１８ ボタン
２６ 入力装置
１００ 制御装置
１０２ 処理装置
１０４ ＣＰＵ
１０６ メモリ
１１０ 記憶装置
１１２ 中継装置
１４０ ウインドウ
１４２ ウインドウ
１４２ ボタンプロファイル設定画面
２００ 設定制御プログラム
２０２ ＵＩ部
２０４ 通信部
２０６ 操作受付部
２０８ 判断部
２１０ 表示部
２１２ 更新部
２１４ 設定記憶部
【図１】
2007148509.tif 000003
【図２】
2007148509.tif 000004
【図３】
2007148509.tif 000005
【図４】
2007148509.tif 000006
【図５】
2007148509.tif 000007
【図６】
2007148509.tif 000008
【図７】
2007148509.tif 000009
【図８】
2007148509.tif 000010
【図９】
2007148509.tif 000011
【図１０】
2007148509.tif 000012
【図１１】
2007148509.tif 000013